(57)【特許請求の範囲】
【請求項１】
表示装置と複数の外部機器とが階層的にツリー状にＨＤＭＩ接続された表示システムであって、
前記表示装置は、前記複数の外部機器のいずれかの外部機器から映像出力可能なアクティブ状態であることを示す第１のＣＥＣメッセージを受信し、前記外部機器へ入力経路を切り換えるための第２のＣＥＣメッセージを送信するＣＥＣインタフェースと、
前記第２のＣＥＣメッセージを送信する前記入力経路にＣＥＣ非対応機器が含まれる場合、前記第１のＣＥＣメッセージで指定された物理アドレスに対応する外部機器を操作対象機器として選択する操作対象機器選択手段とを備えたことを特徴とする表示システム。
【請求項２】
請求項１に記載の表示システムにおいて、前記操作対象機器選択手段は、前記外部機器から受信した前記第１のＣＥＣメッセージに含まれる第１の物理アドレスと、前記表示装置から送信した前記第２のＣＥＣメッセージに含まれる第２の物理アドレスとを比較し、前記第２の物理アドレスで示される入力経路が前記第１の物理アドレスで示される入力経路に含まれる場合、前記第１のＣＥＣメッセージで指定された物理アドレスに対応する外部機器を操作対象機器として選択することを特徴とする表示システム。
【請求項３】
請求項１に記載の表示システムにおいて、前記操作対象機器選択手段は、前記第２のＣＥＣメッセージを送信する前記入力経路にＣＥＣ非対応機器が含まれない場合、前記第２のＣＥＣメッセージで指定された外部機器を操作対象機器として選択することを特徴とする表示システム。
【請求項４】
請求項１乃至３のいずれか１項に記載の表示システムにおいて、前記第１のＣＥＣメッセージは、ＨＤＭＩ規格で定義された<Active Source>であり、前記第２のＣＥＣメッセージは、ＨＤＭＩ規格で定義された<Set Stream Path>であることを特徴とする表示システム。
【請求項５】
請求項１乃至４のいずれか１項に記載の表示システムを構成する表示装置。
【発明の詳細な説明】
【技術分野】
【０００１】
本発明は、表示システム及び表示装置、より詳細には、ＨＤＭＩ（High Definition Multimedia Interface）等のデジタルインタフェースによりＤＶＤ録画装置などの出力装置（外部機器）と接続可能な表示装置を備えた表示システム及び該システムを構成する表示装置に関する。
【背景技術】
【０００２】
映像／音声等の伝送用デジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来、機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢ（Set Top Box）やＤＶＤプレーヤ等の出力装置にコントロール信号を中継することによって、一つのリモコンでホームシアタなどのＡＶシステム全体を操作することも可能となった。
【０００３】
ＨＤＭＩに関する規格は規格化団体であるＨＤＭＩ Ｌｉｃｅｎｓｉｎｇ，ＬＬＣにより２００２年１２月に基本仕様が策定され（ＨＤＭＩ規格Ｖｅｒ１．０）、２００５年１２月にＡＶ機器間のコントロールを行うための制御プロトコルとしてＣＥＣ（Consumer Electronics Control）の規定が追加された（ＨＤＭＩ規格Ｖｅｒ１．２ａ，非特許文献１参照）。以後、何度かの改定が行われてきているが、以下、ＣＥＣに関する記載についてはＨＤＭＩ規格Ｖｅｒ１．２ａ以降の規格に準拠するものとし、特に断らない限りＨＤＭＩ規格と称する。
【０００４】
なお、ＣＥＣに関する用語は、ＨＤＭＩ規格の「2.2 Glossary of Terms」,「CEC 2.2 Glossary of Terms」他に定義されており、ＨＤＭＩ入力端子を持つものをシンク（Sink）機器、ＨＤＭＩ出力端子を持ちＡＶストリームを出力するものをソース（Source）機器、ＨＤＭＩ入力端子と出力端子を持ちＡＶストリームの入出力を行うものをリピータ（Repeater）機器として定義されている。
【０００５】
ＨＤＭＩ規格ではＣＥＣを使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビでデジタル放送を視聴しているときに、ＨＤＭＩで接続されたＤＶＤプレーヤの再生ボタン等を押下して映像を再生すると、テレビは自動的にＤＶＤプレーヤの接続された入力に切り換える。また、このＤＶＤプレーヤで表示しているメニュー操作や、電源のオン／オフなどをテレビのリモコンから操作することができる。
【０００６】
また、ＨＤＭＩ規格ではテレビを含む最大１０台の機器が接続されても動作するように規定されているため、テレビ１台に最大９台の外部機器を接続することができる。テレビに接続されたＨＤＭＩ ＣＥＣ対応機器が１台であれば、リモコンからどの機器を操作しているかは明確であるが、ＨＤＭＩ ＣＥＣ対応機器が複数台接続されると、テレビからテレビのリモコンを使って、どの機器を操作しているのか分かりにくいという問題がある。
【０００７】
そこで、上記のようにテレビからテレビのリモコンを使ってＨＤＭＩ ＣＥＣ対応機器の操作を行う場合、その操作の対象となる機器として、テレビで現に映像を表示している機器を選択することにより、複数の機器の中から操作対象機器を限定することが考えられる。ＨＤＭＩ規格では、そのようなテレビで映像を表示している機器を明示するためのＣＥＣメッセージとして<Active Source>を規定している。この規定によれば、例えば、ユーザがＨＤＭＩ ＣＥＣ対応のＤＶＤプレーヤの再生ボタンを操作すると、ＤＶＤプレーヤはＤＶＤプレーヤ自身が安定した映像信号を出力可能な状態（すなわち、アクティブな状態）であればＡＶストリームを出力するとともに、アクティブ機器であることを示す<Active Source>をブロードキャストする。ここで、「ブロードキャスト」とは、特定の機器に対してではなく全機器を送信先対象とした信号の一斉送信のことをいう。<Active Source>をブロードキャストされたテレビや他のＨＤＭＩ ＣＥＣ対応機器は、ＤＶＤプレーヤから出力されるＡＶストリームを再生するために経路の切換を行う。このようにＨＤＭＩ ＣＥＣ対応機器ではＴＶで映像を表示中の機器が<Active Source>をネットワーク内の他の機器にブロードキャストすることが規定されている。
なお、上記においてＤＶＤプレーヤの再生ボタンを操作する場合を例に説明したが、次の場合も同様である。例えば、ユーザ操作に起因して他のＨＤＭＩ ＣＥＣ対応機器より<Request Active Source>がブロードキャストされた場合において、ＤＶＤプレーヤが「アクティブ機器」であるとき、ＤＶＤプレーヤは自身がアクティブ機器であることを示す<Active Source>をブロードキャストする。ここで、<Request Active Source>とは、ＨＤＭＩ規格で定義されたＣＥＣメッセージの一つであり、経路内のアクティブ機器を問い合わせる用途に利用される。
【０００８】
しかし、<Active Source>をブロードキャストした「アクティブ機器」を操作対象機器とする方法には以下の問題がある。ＨＤＭＩ規格においてＣＥＣに対応すること自体が任意であるが、ＣＥＣの各種の規定も必須対応のものと任意対応のものとが混在しているため、以下のような不都合が生じる。
テレビが複数のＨＤＭＩ入力端子を備え、それぞれのＨＤＭＩ入力端子に、例えばＨＤＭＩ ＣＥＣ対応機器である機器Ａ及び機器Ｂが接続された状態を想定する。初めに、ユーザがテレビに接続されている機器Ａの操作を意図して機器Ａの再生ボタンを操作したとする。この場合、機器Ａは操作可能な機器であるため、上述のように機器Ａは<Active Source>をブロードキャストする。すなわち、この時点でこれを受けたテレビや他のＨＤＭＩ ＣＥＣ対応機器に対して、機器Ａが「アクティブ機器」であることが通知されたことになる。
【０００９】
次に、ユーザが機器Ｂの操作を意図してテレビの入力切換操作を行い、機器Ｂの接続された入力を選択したとする。ところが、機器Ｂが<Active Source>をブロードキャストしない場合があり、この場合、機器Ａが「アクティブ機器」のままとなる。このため、ユーザが機器Ｂに対して何らかの操作を行っても、その操作信号は「アクティブ機器」である機器Ａに送られてしまうことになる。このような不都合は、機器ＢがＨＤＭＩ規格の任意対応の規定に対応したものでないことに起因している。
ユーザにとっては、映像表示させて、操作対象としたい機器に切換指示したにもかかわらず、その切換先機器が「アクティブ機器」でなければ、テレビが操作対象機器として認識しないため、テレビから切換先機器を操作することができない。
【００１０】
これに対して、テレビが、「アクティブ機器」でない機器であっても、その機器を操作対象機器として認識する方法がある。この方法は、<Active Source>の有無にかかわらず、<Set Stream Path>で指定された機器を操作対象機器とするものである。この<Set Stream Path>は、ＨＤＭＩ規格で定義されたＣＥＣメッセージの一つであり、ユーザにより入力切換操作がなされると、入力経路を切り換えるためにテレビからブロードキャストにて送信される。
【非特許文献１】High-Definition Multimedia Interface Specification Version 1.2a   Supplement 1 Consumer Electronics Control(CEC),December 14 2005
【発明の開示】
【発明が解決しようとする課題】
【００１１】
しかしながら、上述の<Set Stream Path>で指定された機器を操作対象機器とする方法には以下のような問題がある。
例えば、テレビとリピータ機器とソース機器がこの順番に接続されており、リピータ機器がＣＥＣ非対応機器である場合を想定する。ソース機器に映像出力操作がなされるか、あるいは他のＨＤＭＩ ＣＥＣ対応機器より<Request Active Source>がブロードキャストされた場合、ソース機器は自身が「アクティブ機器」であれば、<Active Source>をブロードキャストする。<Active Source>を受けたテレビは入力経路をソース機器に切り換えるために<Set Stream Path>をブロードキャストする。このとき、ＣＥＣ非対応機器であるリピータ機器は自身に接続されたソース機器の物理アドレスをテレビへ通知しないため、テレビはリピータ機器の物理アドレスまでしか認識することができない。この結果、テレビはリピータ機器の物理アドレスを指定した<Set Stream Path>をブロードキャストしてしまう。このため<Set Stream Path>で指定された機器を操作対象機器にすると、ＣＥＣ非対応機器であるリピータ機器が操作対象機器として認識されてしまう。
【００１２】
本発明は、上述のごとき実情に鑑みてなされたものであり、表示装置に複数の外部機器を階層的にＨＤＭＩ ＣＥＣ接続したときに、ＣＥＣ非対応機器を入力経路に含む場合、<Set Stream Path>で操作対象機器を選択せずに、<Active Source>を送信してきた外部機器を操作対象機器として選択できる表示システム及び該システムを構成する表示装置を提供すること、を目的とする。
【課題を解決するための手段】
【００１３】
第１の技術手段は、表示装置と複数の外部機器とが階層的にツリー状にＨＤＭＩ接続された表示システムであって、前記表示装置は、前記複数の外部機器のいずれかの外部機器から映像出力可能なアクティブ状態であることを示す第１のＣＥＣメッセージを受信し、前記外部機器へ入力経路を切り換えるための第２のＣＥＣメッセージを送信するＣＥＣインタフェースと、前記第２のＣＥＣメッセージを送信する前記入力経路にＣＥＣ非対応機器が含まれる場合、前記第１のＣＥＣメッセージで指定された物理アドレスに対応する外部機器を操作対象機器として選択する操作対象機器選択手段とを備えたことを特徴としたものである。
【００１４】
第２の技術手段は、第１の技術手段において、前記操作対象機器選択手段は、前記外部機器から受信した前記第１のＣＥＣメッセージに含まれる第１の物理アドレスと、前記表示装置から送信した前記第２のＣＥＣメッセージに含まれる第２の物理アドレスとを比較し、前記第２の物理アドレスで示される入力経路が前記第１の物理アドレスで示される入力経路に含まれる場合、前記第１のＣＥＣメッセージで指定された物理アドレスに対応する外部機器を操作対象機器として選択することを特徴としたものである。
【００１５】
第３の技術手段は、第１の技術手段において、前記操作対象機器選択手段は、前記第２のＣＥＣメッセージを送信する前記入力経路にＣＥＣ非対応機器が含まれない場合、前記第２のＣＥＣメッセージで指定された外部機器を操作対象機器として選択することを特徴としたものである。
【００１６】
第４の技術手段は、第１乃至第３のいずれか１の技術手段において、前記第１のＣＥＣメッセージは、ＨＤＭＩ規格で定義された<Active Source>であり、前記第２のＣＥＣメッセージは、ＨＤＭＩ規格で定義された<Set Stream Path>であることを特徴としたものである。
【００１７】
第５の技術手段は、第１乃至第４のいずれか１の技術手段における表示システムを構成する表示装置である。
【発明の効果】
【００１８】
本発明によれば、表示装置に複数の外部機器を階層的にＨＤＭＩ ＣＥＣ接続したときに、ＣＥＣ非対応機器を入力経路に含む場合、<Set Stream Path>で操作対象機器を選択せずに、<Active Source>を送信してきた外部機器を操作対象機器として選択できるため、ユーザはＨＤＭＩ ＣＥＣ対応機器／非対応機器を特に意識することなく、接続された外部機器の操作をスムーズに行うことができる。
【発明を実施するための最良の形態】
【００１９】
以下、添付図面を参照しながら、本発明の表示システム及び該システムを構成する表示装置に係る好適な実施の形態について説明する。
本発明の実施形態においては、ＨＤＭＩ規格に含まれるＣＥＣメッセージを使用する。このＣＥＣメッセージとはＨＤＭＩで規格化されている機器制御信号である。
【００２０】
図１は、本発明の表示システムにおけるＨＤＭＩ接続に係る要部構成例を説明するためのブロック図で、ソース機器１０と、リピータ機器２０と、シンク機器３０とがＨＤＭＩケーブルで接続されている構成を示すものである。なお、ソース機器１０は、例えばＨＤＭＩ出力端子を持つＤＶＤレコーダやＨＤＤレコーダ、ＤＶＤプレーヤ、デジタル方式ＶＴＲ、デジタルビデオカメラなどである。リピータ機器２０は、ＨＤＭＩ入力端子と出力端子とをもつＡＶアンプやレコーダ、プレーヤなどである。シンク機器３０は、ＨＤＭＩ入力端子をもつ液晶テレビやモニタなどの表示装置である。ＡＶアンプなどのリピータ機器２０が複数のＨＤＭＩ入力端子を持っていれば、複数のソース機器１０を接続することができ、ＡＶアンプのセレクタ機能によって入力ラインを切り換えることができる。
【００２１】
本発明に係るシンク機器３０は、リピータ機器２０とソース機器１０の動作状態を検出し、リピータ機器２０とソース機器１０の動作状態を制御するために、ＣＥＣライン４２を介して転送されるＣＥＣメッセージが用いられる。前述したように、ＣＥＣメッセージは、ＨＤＭＩ規格のＣＥＣプロトコルに基づく機器制御信号である。そして、この機器制御信号を機器間でやりとりすることにより、シンク機器３０と接続機器との間で各種の動作制御を実現する。
【００２２】
なお、ＨＤＭＩケーブルは、デジタル信号である映像・音声信号を差動方式で伝送するためのＴＭＤＳ(Transition Minimized Differential Signaling)ライン（デジタル信号ライン）４１と、機器間で共通の制御信号（ＣＥＣメッセージ）を伝送する双方向バスであるＣＥＣライン４２とを含んでいる。またこの他、ＨＤＭＩケーブルには、ＥＤＩＤ（Extended Display Identification Data）の送信やＨＤＣＰ(High-bandwidth Digital Content Protection system)認証等に利用される図示しないＤＤＣ(Display Data Channel)ラインが含まれる。
【００２３】
以下、ソース機器１０，リピータ機器２０，及びシンク機器３０のＨＤＭＩ接続に係る要部構成について説明する。
ソース機器１０は、ＨＤＭＩトランスミッタ１１、ＨＯＳＴ ＣＰＵ１２、フロントマイコン１３、ＣＥＣインタフェース（以下ＣＥＣ Ｉ／Ｆ）１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のＡＶストリームに変換する。そして、ＨＤＭＩトランスミッタ１１は、変換したＡＶストリームをＴＭＤＳライン４１によってリピータ機器２０へ転送する。ＨＯＳＴ ＣＰＵ１２は、ＨＤＭＩコントローラを含み、ＨＤＭＩトランスミッタ１１の動作を制御する。
【００２４】
ＣＥＣ Ｉ／Ｆ１４は、ＨＤＭＩケーブル内のＣＥＣライン４２を接続し、リピータ機器２０との間でＣＥＣメッセージの双方向通信を可能とする。ＣＥＣ Ｉ／Ｆ１４の動作は、ＣＥＣコントローラを含むフロントマイコン１３により制御され、ＣＥＣメッセージによってＨＤＭＩ接続された機器を制御することができる。ＣＥＣの場合、ＨＤＭＩ接続された各機器の論理アドレス（機器の種別）と物理アドレス（機器の位置）が取得されるため、この物理アドレスを指定することで所望の機器にＣＥＣメッセージを送信することができる。
【００２５】
ＨＯＳＴ ＣＰＵ１２は装置全体を制御する。またフロントマイコン１３は低電力で動作し、常にＣＥＣライン４２から転送されてくるＣＥＣメッセージを監視する。またリモコン装置があれば、そのリモコン信号の送信の有無を監視する。また装置のスタンバイモードなどによってＨＯＳＴ ＣＰＵ１２がダウンしているときも、フロントマイコン１３は動作している（少なくともＣＥＣメッセージの転送が可能な状態で動作する）。
【００２６】
リピータ機器２０は、ＨＤＭＩレシーバ２１、ＨＤＭＩトランスミッタ２２、ＨＯＳＴ ＣＰＵ２３、フロントマイコン２４、及びＣＥＣ Ｉ／Ｆ２５を備えている。リピータ機器２０は、ソース機器１０から転送されたＡＶストリームをＨＤＭＩレシーバ２１で受信し、さらにＨＤＭＩトランスミッタ２２から送出して、シンク機器３０に転送する。またＣＥＣ Ｉ／Ｆ２５によって、ソース機器１０との間のＣＥＣライン４２と、シンク機器３０との間のＣＥＣライン４２とを接続する。
【００２７】
ＨＯＳＴ ＣＰＵ２３とフロントマイコン２４は、上述のソース機器１０と同様の機能を備え、ＨＯＳＴ ＣＰＵ２３は、ＨＤＭＩレシーバ２１とＨＤＭＩトランスミッタ２２とを制御するとともに装置全体を制御する。またフロントマイコン２４はＣＥＣコントローラを含み、ＣＥＣライン４２から転送されてくるＣＥＣメッセージを監視する。
【００２８】
シンク機器３０は、ＨＤＭＩレシーバを内蔵したＨＯＳＴ ＣＰＵ３１、フロントマイコン３２、ＣＥＣ Ｉ／Ｆ３３、メモリ３４、及び受光部３５を備えている。シンク機器３０は、リピータ機器２０で転送されたＡＶストリームをＨＤＭＩレシーバ内蔵のＨＯＳＴ ＣＰＵ３１で受信する。ＨＤＭＩレシーバはＨＯＳＴ ＣＰＵ３１と分離された構成であってもよい。またＣＥＣ Ｉ／Ｆ３３によって、リピータ機器２０との間のＣＥＣライン４２が接続される。メモリ３４には、シンク機器３０の制御プログラムなどが格納されている。またメモリ３４には、ＨＤＭＩ規格に基づいて、シンク機器３０とＨＤＭＩ接続されたリピータ機器２０，ソース機器１０の物理アドレスが記憶される。
【００２９】
ＨＯＳＴ ＣＰＵ３１は、ＨＤＭＩレシーバを内蔵し、また装置全体を制御している。またフロントマイコン３２は、ＣＥＣコントローラを含み、ＣＥＣライン４２から転送されてくるＣＥＣメッセージを監視する。フロントマイコン３２は、リモコン装置３６からのリモコン信号を受信する受光部３５を制御している。そして装置のスタンバイモードなどにおいてＨＯＳＴ ＣＰＵ３１がダウンしているときでも、フロントマイコン３２が動作し、ＣＥＣメッセージの送受信とリモコン信号の受信とが可能な状態に維持している。
【００３０】
図２は、本発明の一実施形態に係る表示装置の構成例を示すブロック図で、本発明の表示装置をテレビ装置に適用した例を示すものである。図中、１００はテレビ装置で、図１に示したシンク機器３０と同様のＨＤＭＩ ＣＥＣ機能を備える。
テレビ装置１００は、テレビジョン放送信号を選局して復調するＴＶチューナ１０１と、復調した放送信号からＥＰＧ（登録商標）データの抽出や復調されたデータの分離を行うデマルチプレクサ１０２と、分離されたデジタル放送の映像信号と音声信号とをデコードするデコーダ１０３とを備えている。
【００３１】
またテレビ装置１００は、システム全体の制御を行うシステム制御部１０４と、システム制御部１０４からのバスの使用要求を受けてバスの使用許可を与えるバス調停部１０５とを有している。バス調停部１０５は、一時に一つのバスの使用要求があったときはただちに使用許可を与え、一時に複数の使用要求があったときは、すなわちバスの使用要求が競合したときは、予めシステム制御部１０４等に定められている優先度に従ってバスの使用許可を与える。
【００３２】
テレビ装置１００には、２つの外部入力端子１０６，１０７と、２つのＨＤＭＩ端子１０８，１０９（ＨＤＭＩ端子１，２）とが設けられる。これら外部入力端子１０６，１０７とＨＤＭＩ端子１０８，１０９とを切り換えるために入力切換メニューが用意され、メモリ１１５に保持される。メモリ１１５は不揮発性メモリなどであり、テレビ装置１００を動作させるための制御プログラムや各種データなどを格納する。外部入力端子１０６，１０７は、ＨＤＭＩ入力以外の外部入力用の端子であり、例えば、ビデオ入力端子、ＩＥＥＥ１３９４、ＵＳＢ（登録商標）などのインタフェースである。ＨＤＭＩ端子１０８，１０９は、図１に示したＣＥＣ Ｉ／Ｆを含み、ＨＤＭＩケーブルを介して複数の外部機器を接続し、ＣＥＣラインにより外部機器との間でＣＥＣメッセージの送受信を行うと共に、ＴＭＤＳラインにより外部機器から映像信号（音声信号を含む）を受信する。
【００３３】
画像処理部１１０では、ノイズリダクション、スケーリングやＩＰ変換等の映像信号変換処理を適宜必要に応じて実施する。また画質強調補正処理やγ補正処理等の画質調整を適宜実施する。また画像信号変換処理において、各種の３次元画像処理を行うためにフレームメモリ１１２が使用される。デバイス駆動部１１１は、液晶パネル等の表示デバイス１１３を駆動制御して、画像処理部１１０から出力された映像信号を表示デバイス１１３に表示させる。またテレビ装置１００には、ユーザが操作するリモートコントローラ（図示せず）からの赤外線信号を受信する赤外線受光部１１４が設けられる。
【００３４】
また、デコーダ１０３でデコードされた音声信号は、音声処理部１１６で処理され、この音声信号がスピーカ１１７に供給され、音声が再生される。
【００３５】
システム制御部１０４は、図１に示したフロントマイコン等を含み、ＴＶチューナ１０１、外部入力端子１０６，１０７、ＨＤＭＩ端子１０８，１０９の入力切換を制御する。またシステム制御部１０４は、ＨＤＭＩ端子１０８，１０９を介して送受信されるＣＥＣメッセージの解析及び解析結果に基づく動作制御などを行う。
【００３６】
本発明の主たる特徴部分は、テレビ装置１００にＨＤＭＩ端子１０８，１０９を介して複数の外部機器が階層的にツリー状に接続されたときに、ＣＥＣ非対応機器を入力経路に含む場合、<Set Stream Path>で操作対象機器を選択せずに、<Active Source>を送信してきた外部機器を操作対象機器として選択することにある。このための構成として、テレビ装置１００は、複数の外部機器のいずれかの外部機器から出力されるアクティブ状態であることを示す第１のＣＥＣメッセージに相当する<Active Source>を受信し、当該外部機器へ入力経路を切り換えるための第２のＣＥＣメッセージに相当する<Set Stream Path>を送信するＨＤＭＩ端子（ＣＥＣ Ｉ／Ｆ）１０８，１０９を備える。この<Active Source>は、ユーザにより映像出力操作がなされ「アクティブ機器」になった外部機器、あるいは、ユーザ操作により他のＨＤＭＩ ＣＥＣ対応機器より<Request Active Source>がブロードキャストされたときに「アクティブ機器」になっている外部機器から送信される。
【００３７】
さらにテレビ装置１００は、<Set Stream Path>を送信する入力経路にＣＥＣ非対応機器が含まれる場合、<Active Source>で指定された外部機器を操作対象機器として選択する操作対象機器選択手段１０４ａを備える。操作対象機器選択手段１０４ａは、<Set Stream Path>を送信する入力経路にＣＥＣ非対応機器が含まれない場合、<Set Stream Path>で指定された外部機器を操作対象機器として選択する。この操作対象機器選択手段１０４ａの機能はシステム制御部１０４により実行される。
本発明の表示システムによる操作対象機器選択方法について以下の図３及び図４に具体例を示して説明する。
【００３８】
図３は、本発明の表示システムによる操作対象機器選択方法の一例を説明するための図である。本例において、シンク機器であるテレビ装置（以下ＴＶ）１００は２つのＨＤＭＩ入力（入力１，入力２）を備え、一方の入力１にはリピータ機器であるＡＶアンプ２０ａを接続し、さらにＡＶアンプ２０ａは、２つのＨＤＭＩ入力（入力３，入力４）を備え、入力３にはソース機器であるレコーダ１０ａを接続し、入力４にはソース機器であるＤＶＤプレーヤ１０ｂを接続する。また他方の入力２にはソース機器であるレコーダ１０ｃを接続する。なお、各機器に割り当てられている(0.0.0.0),(1.0.0.0),…,(2.0.0.0)の数字は各機器の接続位置を示す物理アドレスである。
【００３９】
図４は、例えばソース機器からの映像出力によって入力切換するときのＣＥＣによる通信処理の一例を示す図である。図４（Ａ）にリピータ機器のＡＶアンプ２０ａがＨＤＭＩ ＣＥＣ対応機器の場合の例を示し、図４（Ｂ）にリピータ機器のＡＶアンプ２０ａがＣＥＣ非対応機器の場合の例を示す。なお、図４（Ａ），（Ｂ）の通信処理は図３の接続例に基づいて説明するものとし、点線で示すコマンド送信は送信元からブロードキャストにて送信する処理を示す。
【００４０】
図４（Ａ）において、ＴＶ１００でレコーダ１０ｃの映像を視聴中に、物理アドレス(1.2.0.0)のＤＶＤプレーヤ１０ｂの再生ボタンが押されＡＶストリームの再生を開始すると、ＤＶＤプレーヤ１０ｂは、自身が「アクティブ機器」であることを示す<Active Source>をブロードキャストにて送信する（Ｓ１１）。これを受けてＴＶ１００は、ＡＶアンプ２０ａが接続されたＨＤＭＩ入力（入力１）に入力経路を切り換えたことを示すＣＥＣメッセージ<Routing Change>をブロードキャストにて送信する（Ｓ１２）。そしてこれを受けたＡＶアンプ２０ａは、ＤＶＤプレーヤ１０ｂが接続されているので、ＡＶアンプ２０ａからＤＶＤプレーヤ１０ｂまでの入力経路を通知するためのＣＥＣメッセージ<Routing Information>をブロードキャストにて送信する（Ｓ１３）。最後にこれを受けたＴＶ１００は、ＤＶＤプレーヤ１０ｂへの入力経路を確定するためのＣＥＣメッセージ<Set Stream Path(1.2.0.0)>をブロードキャストにて送信する（Ｓ１４）。
最後に送信した<Set Stream Path>で指定された物理アドレス(1.2.0.0)には、ＤＶＤプレーヤ１０ｂが存在する。従って、この場合の操作対象機器はＤＶＤプレーヤ１０ｂとなる。なお、この場合、物理アドレス(1.2.0.0)が第２の物理アドレスである。
以上において、ＤＶＤプレーヤ１０ｂの再生ボタンが押された場合を例に説明してきたが、ユーザ操作に起因して他のＨＤＭＩ ＣＥＣ対応機器より<Request Active Source>がブロードキャストされ、ＤＶＤプレーヤ１０ｂ自身が「アクティブ機器」であることを示す<Active Source>をブロードキャストする場合も同様である。
【００４１】
ここで、<Routing Change>及び<Routing Information>はともに、ＨＤＭＩ規格で定義されたＣＥＣメッセージである。<Routing Change>は入力経路の変更を示すためのもので、<Routing Information>は<Routing Change>を受けて入力経路を通知するためのものである。
【００４２】
図４（Ａ）の例によれば、ソース機器に対する映像出力操作に応じて、ソース機器から<Active Source>が送信される。これを受けたＴＶは、ソース機器の物理アドレスを指定して<Set Stream Path>をブロードキャストにて送信する。この結果、<Set Stream Path>で指定したソース機器を操作対象機器とすることができる。この場合、リピータ機器であるＡＶアンプ２０ａがＨＤＭＩ ＣＥＣ対応機器である必要がある。
【００４３】
しかし、ＡＶアンプ２０ａがＣＥＣ非対応機器である場合、ＴＶ１００がブロードキャスト送信する<Routing Change>に反応しないため、ＡＶアンプ２０ａからＤＶＤプレーヤ１０ｂまでの入力経路を通知するためのＣＥＣメッセージ<Routing Information>が送信されない。このため、ＴＶ１００が最後に送信する<Set Stream Path>は、入力経路が確認できている<Set Stream Path(1.0.0.0)>となる。従って、ＡＶアンプ２０ａが操作対象として選択され、ＤＶＤプレーヤ１０ｂを操作対象とすることができない。これについて図４（Ｂ）に基づいて説明する。
【００４４】
図４（Ｂ）において、ＴＶ１００でレコーダ１０ｃの映像を視聴中に、物理アドレス(1.2.0.0)のＤＶＤプレーヤ１０ｂの再生ボタンが押されＡＶストリームの再生を開始すると、ＤＶＤプレーヤ１０ｂは、自身が「アクティブ機器」であることを示す<Active Source>をブロードキャストにて送信する（Ｓ２１）。これを受けてＴＶ１００は、ＡＶアンプ２０ａが接続されたＨＤＭＩ入力（入力１）に入力を切り換えたことを示すＣＥＣメッセージ<Routing Change>をブロードキャストにて送信する（Ｓ２２）。しかし、ＡＶアンプ２０ａはＣＥＣメッセージに応答しないＣＥＣ非対応機器であるため、ＡＶアンプ２０ａからＤＶＤプレーヤ１０ｂまでの経路を通知するためのＣＥＣメッセージ<Routing Information>が送信されない。
【００４５】
そして、<Routing Information>を受信できないＴＶ１００は、ＡＶアンプ２０ａ以降の入力経路を確定することができず、最終的に確認されているＡＶアンプ２０ａまでの入力経路を確定するためのＣＥＣメッセージ<Set Stream Path(1.0.0.0)>をブロードキャストにて送信する（Ｓ２３）。
この結果、最後に送信した<Set Stream Path>で指定された物理アドレス(1.0.0.0)にはＡＶアンプ２０ａが存在するため、ＣＥＣ非対応機器であるＡＶアンプ２０ａが操作対象機器となってしまう。
【００４６】
このような問題を改善するために、本発明においては以下の処理を実行する。
ＴＶ１００は、「アクティブ機器」がＤＶＤプレーヤ１０ｂであることを、<Active Source>を送信してきた時点（Ｓ２１）で認識している。そこでＴＶ１００は、<Active Source>の受信時点でこの<Active Source>で通知される物理アドレス（第１の物理アドレス）により操作対象機器を更新する（すなわちＤＶＤプレーヤ１０ｂに更新される）。さらに<Active Source>の受信による経路切換処理において、この処理中に送信される<Set Stream Path>で指定された物理アドレス（第２の物理アドレス）がＣＥＣ非対応機器である場合に限り、このＣＥＣ非対応機器の物理アドレス（第２の物理アドレス）により操作対象機器を更新しないものとする。これにより図３の例の場合、ＣＥＣ非対応のＡＶアンプ２０ａは操作対象として選択されず、<Active Source>で指定されたＤＶＤプレーヤ１０ｂが操作対象機器として選択される。
【００４７】
なお、上記処理はＡＶアンプ２０ａがＣＥＣ非対応機器である場合に限り実行されるもので、ＡＶアンプ２０ａがＨＤＭＩ ＣＥＣ対応機器である場合、図４（Ａ）に示したように、<Set Stream Path>で指定された物理アドレスにより操作対象機器を更新する。
ＡＶアンプ２０ａがＣＥＣ非対応あるいはＣＥＣ対応である場合の操作対象機器の更新処理は、図２に示した操作対象機器選択手段１０４ａにより実行される。操作対象機器選択手段１０４ａは、ＡＶアンプ２０ａがＨＤＭＩ ＣＥＣ対応機器か非対応機器かを、ＣＥＣメッセージ<Routing Change>に対する応答の有無により判定することができる。
【００４８】
ここで、ＡＶアンプ２０ａの物理アドレスは(1.0.0.0)、ＤＶＤプレーヤ１０ｂの物理アドレスは(1.2.0.0)であるため、ＡＶアンプ２０ａの物理アドレス(1.0.0.0)までの入力経路はＤＶＤプレーヤ１０ｂの物理アドレス(1.2.0.0)までの入力経路に含まれることが分かる。それにも拘らず物理アドレス(1.0.0.0)のＡＶアンプ２０ａからはＣＥＣメッセージに対する応答が無いことからＣＥＣ非対応機器であることも分かる。ＣＥＣ非対応機器の場合、ＣＥＣメッセージに応答しないため、このＡＶアンプ２０ａの物理アドレス(1.0.0.0)は操作対象機器の物理アドレスとして不適切であるといえる。このため、ＡＶアンプ２０ａの物理アドレス(1.0.0.0)により操作対象機器を更新せずに、予め受信された<Active Source>で指定された物理アドレス(1.2.0.0)のＤＶＤプレーヤ１０ｂを操作対象機器とする。なお、この場合、物理アドレス(1.2.0.0)が第１の物理アドレスである。
【００４９】
すなわち、図２に示した操作対象機器選択手段１０４ａは、ＤＶＤプレーヤ１０ｂから受信した<Active Source>に含まれる第１の物理アドレス(1.2.0.0)と、ＴＶ１００から送信した<Set Stream Path>に含まれる第２の物理アドレス(1.0.0.0)とを比較し、第２の物理アドレス(1.0.0.0)で示される入力経路が第１の物理アドレス(1.2.0.0)で示される入力経路に含まれる場合、<Active Source>で指定されたＤＶＤプレーヤ１０ｂを操作対象機器として選択する。
【００５０】
上記処理を行うことで、複数機器がＨＤＭＩ接続されたネットワーク構成において、シンク機器（ＴＶ）とソース機器との間に、ＣＥＣ非対応のリピータ機器が存在する場合でも、ソース機器に映像出力操作を行うことで、ソース機器がＴＶに対して<Active Source>を通知してくるため、この<Active Source>を通知してきたソース機器を操作対象とすることができる。
【図面の簡単な説明】
【００５１】
【図１】本発明の表示システムにおけるＨＤＭＩ接続に係る要部構成例を説明するためのブロック図である。
【図２】本発明の一実施形態に係る表示装置の構成例を示すブロック図である。
【図３】本発明の表示システムによる操作対象機器選択方法の一例を説明するための図である。
【図４】ソース機器からの映像出力によって入力切換するときのＣＥＣによる通信処理の一例を示す図である。
【符号の説明】
【００５２】
１０…ソース機器、１０ａ，１０ｃ…レコーダ、１０ｂ…ＤＶＤプレーヤ、１１…ＨＤＭＩトランスミッタ、１２…ＨＯＳＴ ＣＰＵ、１３…フロントマイコン、１４…ＣＥＣ Ｉ／Ｆ、２０…リピータ機器、２０ａ…ＡＶアンプ、２１…ＨＤＭＩレシーバ、２２…ＨＤＭＩトランスミッタ、２３…ＨＯＳＴ ＣＰＵ、２４，３２…フロントマイコン、２５…ＣＥＣ Ｉ／Ｆ、３０…シンク機器、３１…ＨＯＳＴ ＣＰＵ、３３…ＣＥＣ Ｉ／Ｆ、３４…メモリ、３５…受光部、３６…リモコン装置、４１…ＴＭＤＳライン、４２…ＣＥＣライン、１００…テレビ装置、１０１…ＴＶチューナ、１０２…デマルチプレクサ、１０３…デコーダ、１０４…システム制御部、１０４ａ…操作対象機器選択手段、１０５…バス調停部、１０６，１０７…外部入力端子、１０８，１０９…ＨＤＭＩ端子、１１０…画像処理部、１１１…デバイス駆動部、１１２…フレームメモリ、１１３…表示デバイス、１１４…赤外線受光部、１１５…メモリ、１１６…音声処理部、１１７…スピーカ。
【図１】
0004251460.tif 000002
【図２】
0004251460.tif 000003
【図３】
0004251460.tif 000004
【図４】
0004251460.tif 000005